(57)【要約】  本発明は、少なくとも１つの挿入部材と、透過液を少なくとも１つの透過液収集装置まで案内する流路を支持部材と挿入部材との間に形成する少なくとも１つの挿入部材によって互いに間隔を置いて配置された支持部材とを有し、少なくとも１つの透過液収集装置は、流路に垂直に接触するか又は濃縮液をメンブレンモジュールの外に流路を通して案内する、メンブレン用のスペーサに関する。本発明はさらに、透過液スペーサを有するメンブレンモジュール、メンブレンモジュールの用途及び透過液スペーサを有する螺旋状に巻かれたメンブレンに関する。
2008531270.tif 000002
【特許請求の範囲】
【請求項１】
少なくとも１つの挿入部材と、支持面ユニット（８）、穿孔を有する密な面材料、多孔性面材料、穿孔又は細孔又はそれらの組み合わせを有する複合面材料、穿孔又は細孔又はそれらの組み合わせを有するサンドイッチ面材料から成る群の少なくとも１つの部材から選択される支持部材とを有するメンブレンモジュール用のスペーサであって、前記支持部材は、透過液を少なくとも１つの透過液収集装置まで案内する流路を前記支持部材と前記挿入部材との間に形成する前記少なくとも１つの挿入部材によって互いに間隔を置いて配置され、前記少なくとも１つの透過液収集装置は、前記流路に垂直に接触するか、又は濃縮液を前記メンブレンモジュールの外に前記流路を通して案内するスペーサ。
【請求項２】
前記挿入部材は、縦長の壁、波形シート、ひだ付きシート、鋳造シート、成形シート、押し出しシート、ダクト又は谷を有するシート、切り込み又は平坦な山を有するシート、シングルディスタンスエード又はそれらの組み合わせである、請求項１記載のスペーサ。
【請求項３】
前記支持部材は、挿入部材の支持ユニット（８）であり、前記挿入部材は、メンブレンを混合なしで特定領域から所定の流れ方向に排水させる流路を形成する縦長の溝を有する押し出しシートである、請求項２記載のスペーサ。
【請求項４】
前記支持部材と前記挿入部材との間の前記流路は互いに平行である、請求項１乃至請求項３のいずれかに記載のスペーサ。
【請求項５】
透過液に使用される前記スペーサの互いに平行な前記流路は、１本の透過液収集チューブと垂直に接続する、請求項１乃至請求項４のいずれかに記載のスペーサ。
【請求項６】
前記支持部材は、穿孔を有する密な材料又は多孔性材料である、請求項１乃至請求項５のいずれかに記載のスペーサ。
【請求項７】
前記穿孔は、穴、長穴、スリット又はそれらの組み合わせである、請求項１乃至請求項６のいずれかに記載のスペーサ。
【請求項８】
前記透過液スペーサは、金属、プラスチック、複合材料、紙、セルロース、多孔性材料、高分子材料又はそれらの組み合わせから成る群の材料の少なくとも１つから選択される材料で作られる、請求項１乃至請求項７のいずれかに記載のスペーサ。
【請求項９】
前記材料は、ポリオレフィンエラストマ、エチレン酢酸ビニル共重合体、エチレン酢酸ビニル三元共重合体、スチレン−エチレン／ブチレン−スチレンブロック共重合体、ポリウレタン、ポリブチレン、ポリブチレン共重合体、ポリイソプレン、ポリイソプレン共重合体、アクリレート、シリコーン、天然ゴム、ポリイソブチレン、ブチルゴム、ポリプロピレン、ポリプロピレン共重合体、ポリエチレン、ポリエチレン共重合体、ポリカーボネート、フルオロポリマー、ポリスチレン、アクリロニトリル−ブタジエン−スチレン共重合体、ナイロン、ポリ塩化ビニル、並びにそれらの共重合体及び混合物から成る群の材料の少なくとも１つから選択される、請求項８記載のスペーサ。
【請求項１０】
前記支持部材は、互いに少なくとも０．１ｍｍの間隔を置いて配置される、請求項１乃至請求項９のいずれかに記載のスペーサ。
【請求項１１】
前記支持部材は、互いに約０．１ｍｍから約２．０ｍｍの範囲内の間隔を置いて配置される、請求項１乃至請求項１０のいずれかに記載のスペーサ。
【請求項１２】
透過液収集装置と、メンブレンフィルムと、請求項１乃至請求項１１のいずれかに記載の少なくとも１つのスペーサとを有するメンブレンモジュールであって、前記メンブレンフィルムは、前記少なくとも１つのスペーサの両側に取り付けられている、メンブレンモジュール。
【請求項１３】
前記少なくとも１つのスペーサは、少なくとも１つの透過液スペーサ及び少なくとも１つの濃縮液スペーサであり、前記メンブレンフィルムは前記少なくとも１つの透過液スペーサの両側に取り付けられている、請求項１２記載のメンブレンモジュール。
【請求項１４】
前記モジュールは、１つ又は２つ以上の透過液搬送リーフ及び１つ又は２つ以上のメンブレンリーフであって、前記少なくとも１つの透過液スペーサ、前記少なくとも１つの濃縮液スペーサと一緒に、ほぼユニットの長さに沿って複数の透過液搬送手段を間隔を置いて配置する少なくとも１つの管状ユニットを有する透過液収集チューブである透過液収集装置の周りに巻かれる、１つ又は２つ以上の透過液搬送リーフ及び１つ又は２つ以上のメンブレンリーフと、前記透過液搬送手段を連結する流路を形成する１つ又は２つ以上の外部溝とをさらに有し、各管状ユニットの内側の少なくとも一部は多角形断面を有する、請求項１２又は請求項１３記載のメンブレンモジュール。
【請求項１５】
前記透過液収集チューブは、前記チューブの長さに沿ってかつ前記チューブの斜めに向かい合う側面上に２列に間隔を置いて配置された穴である複数の前記透過液搬送手段を螺旋状に連結する２つの溝を有する、請求項１４記載のメンブレンモジュール。
【請求項１６】
前記透過液収集チューブは、型成形、射出成形される、請求項１５記載のメンブレンモジュール。
【請求項１７】
メンブレンモジュールは、精密濾過、限外濾過、ナノ濾過又は逆浸透にも利用される、請求項１２乃至請求項１６のいずれかに記載のメンブレンモジュール。
【請求項１８】
前記スペーサ、前記透過液スペーサ及び前記濃縮液スペーサの前記流路は、前記メンブレンモジュール内で互いに平行であるか又は前記メンブレンモジュール内で互いに垂直である、請求項１２乃至請求項１７のいずれかに記載のメンブレンモジュール。
【請求項１９】
前記スペーサ、前記透過液スペーサ及び前記濃縮液スペーサの前記流路は、前記メンブレンモジュール内で互いに垂直である、請求項１８記載のメンブレンモジュール。
【請求項２０】
前記メンブレンモジュールは、螺旋状に巻かれたメンブレンである、請求項１２乃至請求項１９のいずれかに記載のメンブレンモジュール。
【請求項２１】
排水、海水、地表水又は井戸水の処理における請求項１２乃至請求項２０のいずれかに記載のメンブレンモジュールの使用方法。
【請求項２２】
滅菌濾過、浄化又は高分子量の濃縮における請求項１２乃至請求項２０のいずれかに記載のメンブレンモジュールの使用方法。
【請求項２３】
ワイン、ビールの処理、フルーツジュースの濃縮、牛乳の滅菌濾過における請求項１２乃至請求項２０のいずれかに記載のメンブレンモジュールの使用方法。
【発明の詳細な説明】
【技術分野】
【０００１】
本発明は、スペーサ、メンブレンモジュール及びメンブレンモジュールの用途に関する。
【背景技術】
【０００２】
メンブレンを通過する流体は、メンブレンを通過する前にメンブレンまで搬送されるか、又はメンブレンに接触する必要がある。通過後、流体は排液システムに収集され、システム外に排出される。多くのメンブレンは、メンブレンへの液体の搬送又はメンブレンからの液体の搬送にスペーサを利用する。ヨーロッパ特許第１１２０１１５０号、国際公開第２００４／１０３５３５号、及び国際公開第２００４／１０３５３６号はメンブレンスペーサを開示している。
【０００３】
流体を収集する排液システムは、流体の障害物となり、それによって逆圧を発生し、圧力を低下させる可能性がある。逆圧は、メンブレンを通過する流束を制限することがあり、圧力低下はメンブレンの汚染を招き、その性能を制限する恐れがある。
【発明の開示】
【発明が解決しようとする課題】
【０００４】
そこで、本発明の目的の一つは、排液システムの構成を改良して、メンブレンの性能を向上させることである。
【０００５】
本発明の他の目的は、エネルギーバランスが改善されたメンブレンを提供することである。
【課題を解決するための手段】
【０００６】
メンブレンは、精密濾過、限外濾過、ナノ濾過又は逆浸透に使用することができる。精密濾過は、通常０．１〜１０マイクロメートル（μｍ）の、メンブレン濾過クラスのうちで最も粗なクラスである。限外濾過メンブレンは、９０％が膜によって保持される最小分子の分子量として定義される分画分子量（the molecular weight cut off）によって分類される。限外濾過範囲は、１０００分画分子量から５０００００分画分子量までである。ナノ濾過メンブレンは、１００〜１０００の範囲の分子量を有する溶質分子を保持する。逆浸透は、最小溶質分子でさえも分離することのできる最も密なメンブレンを使用する。
【０００７】
メンブレン又はメンブレンフィルムを通過した流体は、透過液として定義される。残された流体は、濃縮液又はリテンテート（retentate）と定義され、以下では濃縮液と定義される。メンブレン同士は、透過液スペーサと濃縮液スペーサという２つの群に分けられる、挿入部材、スペーサ又はスペーサ部材によって互いに間隔を置いて配置することができる。メンブレン同士の間に形成される空間は、透過液又は濃縮液の流れ空間を構成する。
【０００８】
スペーサ又は挿入部材は、流体が収集システム又は収集装置まで自由に流れることのできるようにする構造を実現する波形材料、ひだ付き材料、鋳造材料、押し出し材料又は機械加工材料で製造することができる。
【０００９】
以下では、スペーサは、メンブレン又はメンブレンフィルム同士を間隔を置いて配置する部材を指す。挿入部材は、支持部材同士を間隔を置いて配置する部材を指す。
【００１０】
本発明は、少なくとも１つの挿入部材と、支持面ユニット、穿孔を有する密な面材料、多孔性面材料、穿孔又は細孔又はそれらの組み合わせを有する複合面材料、穿孔又は細孔を有するサンドイッチ面材料、或いはこれらの部材の組み合わせから成る群の少なくとも１つの部材から選択される支持部材とを有するメンブレンモジュール用のスペーサに関し、支持部材は、透過液を少なくとも１つの透過液収集装置まで案内する流路を支持部材と挿入部材との間に形成する少なくとも１つの挿入部材によって、互いに間隔を置いて配置され、少なくとも１つの透過液収集装置は、流路に垂直に接触するか、又は濃縮液をメンブレンモジュールの外に流路を通して案内する。
【００１１】
細孔又は穿孔の形状、細孔又は穿孔の密度又は量は、流体の圧力範囲、粘度又は温度に応じて調整することができる。穿孔は、穴、長穴、スリット又はそれらの組み合わせであってよい。
【００１２】
挿入部材は、縦長の壁、波形シート、ひだ付きシート、鋳造シート、型成形シート、押し出しシート、ダクトを有するシート、切り込み又は平坦な山を有するシート、シングルディスタンスエード（single distance aids）又はそれらの組み合わせであってよい。
【００１３】
支持部材と挿入部材との間の流れ空間は、通路又は流路を形成している。通路は、透過液集装置に垂直に連結させることができる。一実施形態では、通路同士は互いに沿って延びることができる。他の実施形態によれば、挿入部材は、互いに沿って平行に延びる通路を形成している。透過液収集装置は、透過液中央収集チューブ又は透過液チューブであってよい。他の実施形態によれば、透過液収集チューブは、スウェーデン特許第０４０２５４２−５号及びスウェーデン特許第０４０３１６９−６号に開示された透過液チューブであってよい（どちらのスウェーデン特許出願もＰＣＴ／ＳＥ２００５／００１５５４の優先文献である）。
【００１４】
透過液スペーサは少なくとも０．１ｍｍの厚さを有してよく、この厚さは約２０ｍｍ以下程度であってよい。一実施形態によれば、厚さは少なくとも０．２ｍｍであってよく、他の実施形態によれば、厚さは少なくとも０．５ｍｍであってよい。他の実施形態によれば、厚さは約０．１ｍｍから約２０ｍｍの範囲内であってよい。他の実施形態によれば、厚さは約０．５ｍｍから約１５ｍｍの範囲内であってよい。他の実施形態によれば、厚さは約１ｍｍから約５ｍｍの範囲内であってよい。他の実施形態によれば、厚さは約０．１ｍｍから約２．０ｍｍの範囲内であってよい。他の実施形態によれば、厚さは約０．５ｍｍから約１．５ｍｍの範囲内であってよい。
【００１５】
支持部材と挿入部材は同じ材料で製造してよく、或いは支持材料をある材料で製造し、挿入部材を別の材料で製造してもよい。材料は、金属、プラスチック、複合材料、紙、多孔性材料、高分子材料又はそれらの組み合わせであってよい。一実施形態によれば、ポリオレフィンエラストマ、エチレン酢酸ビニル共重合体、エチレン酢酸ビニル三元共重合体、スチレン−エチレン／ブチレン−スチレンブロック共重合体、ポリウレタン、ポリブチレン、ポリブチレン共重合体、ポリイソプレン、ポリイソプレン共重合体、アクリレート、シリコーン、天然ゴム、ポリイソブチレン、ブチルゴム、ポリプロピレン、ポリプロピレン共重合体、ポリエチレン、ポリエチレン共重合体、ポリカーボネート、フルオロポリマー、ポリスチレン、アクリロニトリル−ブタジエン−スチレン共重合体、ナイロン、ポリ塩化ビニル、並びにそれらの共重合体及び混合物から成る群の材料の少なくとも１つから選択することができる。
【００１６】
メンブレンの剥離や破壊を招く負の流束を生じさせる様々なメンブレン間圧力に基づく混合効果なしにメンブレンを特定の領域から所定の流れ方向に排水させる縦長の溝を有するポリエチレン、ポリプロピレン又はＰＥＴの押し出しシート。他の方向に使用され、適切な厚さに形成されたスペーサは、繊維などを含む液体のために詰まる可能性の低い完全に開放されかつ適切に規定された流路を有する濃縮液スペーサを形成する。
【００１７】
本発明は、少なくとも１つのスペーサが少なくとも１つの透過液スペーサ及び少なくとも１つの濃縮液スペーサであり、メンブレンフィルムが少なくとも１つの透過液スペーサの両側に取り付けられるメンブレンモジュールに関する。
【００１８】
メンブレンモジュールは、１つ又は２つ以上の透過液搬送リーフ（permeate transfer leaves）及び１つ又は２つ以上のメンブレンリーフ（membrane leaves）であって、少なくとも１つの透過液スペーサ、少なくとも１つの濃縮液スペーサと一緒に、ほぼユニットの長さに沿って複数の透過液搬送手段を間隔を置いて配置する少なくとも１つの管状ユニットを有する透過液収集チューブである透過液収集装置の周りに巻かれる、１つ又は２つ以上の透過液搬送リーフ及び１つ又は２つ以上のメンブレンリーフと、透過液搬送手段と連結する流路を形成する１つ又は２つ以上の外部溝とをさらに有してよく、各管状ユニットの内側の少なくとも一部は多角形断面を有する。
【００１９】
他の実施形態によれば、メンブレンモジュールは、少なくとも１つの挿入部材によって互いに間隔を置いて配置された少なくとも２つの支持部材を有する透過液スペーサ及び濃縮液スペーサの両側に取り付けられ、支持部材と挿入部材との間に自由流路を形成するメンブレンを有し、支持部材は、自由流路から延びる細孔又は穿孔を備える。メンブレンモジュールは、螺旋状に巻かれたメンブレンであってよい。螺旋状に巻かれたメンブレンは、他の実施形態では、ＰＣＴ／ＳＥ２００５／００１５５４号に開示された少なくとも１つの透過液チューブを有してよい。
【００２０】
メンブレンモジュール又は螺旋状に巻かれたメンブレンでは、スペーサを使用して、逆圧を発生させずに透過液を収集することができる。螺旋状に巻かれたメンブレンでは、透過液スペーサが、螺旋状に巻かれたメンブレンの中心内に螺旋状に延びて透過液収集チューブに当たる流路又は通路を形成するように、透過液スペーサを巻くことができる。一実施形態によれば、メンブレンシステムは、通路を有する濃縮液スペーサと一緒に使用することができる。一実施形態では、透過液スペーサと濃縮液スペーサはどちらも透過液収集チューブの周りに巻かれ、螺旋状に巻かれたメンブレンを形成する。
【００２１】
メンブレンモジュール又は螺旋状に巻かれたメンブレンでは圧力低下が少ないため、静水圧を使用するだけでカルシウム、マグネシウムなどの二価イオン又は農薬などの低有機分子を除去するように、水をナノ濾過メンブレンで処理することが可能である。
【００２２】
本発明は、本発明による透過液スペーサを有するメンブレンモジュールの、排水、海水、地表水又は井戸水の処理のための使用に関する。
【００２３】
メンブレンモジュールは、逆浸透型の脱塩プラントの前の、たとえば、海水、地表水又は井戸水などの水の前処理に使用することができる。メンブレンモジュールは、地表水又は井戸水から飲み水を調製する際に使用することもできる。メンブレンモジュールは、水の前処理又は最終処理に使用することができる。
【００２４】
本発明によるメンブレンモジュールは、精密濾過、限外濾過、ナノ濾過又は逆浸透に使用することができる。一実施形態によれば、メンブレンモジュールは脱塩などの用途に使用することができる。他の実施形態によれば、メンブレンは、タンパク質及びタンパク質製品の処理に使用することができる。他の実施形態によれば、メンブレンモジュールは、牛乳及び乳製品の処理に使用することができる。他の実施形態によれば、メンブレンモジュールは、多糖又は多糖製品の処理に使用することができる。他の実施形態によれば、メンブレンモジュールは、デンプン及びデンプン製品の処理に使用することができる。他の実施形態によれば、メンブレンモジュールは、油、野菜油及び油製品の処理に使用することができる。
【００２５】
メンブレンモジュールでは圧力降下が低いため、カルシウム、マグネシウムなどの二価イオン又は農薬などの低有機分子を除去するために水をナノ濾過メンブレンで処理することが可能である。螺旋状に巻かれたメンブレンを、滅菌濾過、浄化又は高分子量の濃縮に使用することもできる。メンブレンモジュールは、ワイン、ビールの処理、フルーツジュースの濃縮、牛乳の滅菌濾過に使用することもできる。
【００２６】
一実施形態によれば、メンブレンモジュールは、上述の用途のいずれかで使用される螺旋状に巻かれたメンブレンであってよい。
【００２７】
他の特徴は、独立請求項及び従属請求項に明記されている。
【発明を実施するための最良の形態】
【００２８】
以下に、本発明について添付の図面によって詳しく説明する。
【００２９】
図１は、穿孔３を備えた支持部材２を有する押し出しスペーサであるスペーサ１の斜視図を示している。この実施形態によれば、挿入部材４は、支持部材２と長手方向の壁との間に流れ空間５を形成する縦長の壁である。メンブレン６はスペーサ１の両側に取り付けられている。図２は、押し出しシート７の上面図を示している。この上面図では、流路５同士は互いに平行であり、支持ユニット８は流路５を互いに分離している。図３、図４及び図５は押し出しシート７の断面を示している。流路５は、角度αに応じて幅を広くするか又は深さを深くすることができる。角度αは、本発明の一実施形態によれば約４５度から約７５度の範囲内である。角度αは、本発明の他の実施形態によれば約５０度から約７０度の範囲内である。角度αは、本発明の他の実施形態によれば約５５度から約６５度の範囲内である。角度αは、本発明の他の実施形態によれば約３０度より大きい。角度αは、本発明の他の実施形態によれば約６０度以内である。距離９は、本発明の一実施形態によれば約０．１ｍｍから約４．０ｍｍの範囲である。距離９は、本発明の他の実施形態によれば約０．２ｍｍから約３．０ｍｍの範囲内である。距離９は、本発明の他の実施形態によれば約０．３ｍｍから約２．０ｍｍの範囲内である。２つの山の間の距離１０は、本発明の一実施形態によれば約０．１ｍｍから約３．０ｍｍの範囲内である。距離１０は、本発明の他の実施形態によれば約０．２ｍｍから約２．０ｍｍの範囲内である。距離１０は、本発明の他の実施形態によれば約０．３ｍｍから約１．５ｍｍの範囲内である。距離１０は、本発明の他の実施形態によれば約０．２ｍｍから約２．０ｍｍの範囲内である。距離１０は、本発明の他の実施形態によれば約１．０ｍｍである。一実施形態によれば、支持ユニット８は平坦であり、平坦な頂部の長さは０．０３ｍｍより長い。他の実施形態によれば、長さは０．０５ｍｍより長い。他の実施形態によれば長さは約０．１ｍｍである。２つの谷、即ち流路間の厚さは、一実施形態によれば約０．０５ｍｍである。２つの谷、即ち流路間の厚さは、他の実施形態によれば約０．７ｍｍである。２つの谷、即ち流路間の厚さは、他の実施形態によれば約０．０７ｍｍから約０．７ｍｍの範囲内である。２つの谷、即ち流路間の厚さは、他の実施形態によれば約０．１ｍｍである。２つの谷、即ち流路間の厚さは、他の実施形態によれば約０．５ｍｍである。図３、図４及び図５に示されている押し出しシートは、透過液スペーサと濃縮液スペーサの両方として使用できるスペーサである。透過液スペーサは、山とより広い谷、即ち流路５との間により短い距離を有する押し出しシートであり、濃縮液液ペーサは、山とより狭い谷、即ち流路５との間により長い距離を有する押し出しシートである。図３は、本発明による透過液スペーサを示し、図４及び図５は、濃縮液スペーサを示している。
【００３０】
図６は、他のメンブレンシステムの断面図を示しており、ひだ付きシート１１は、互いに平行な流路５の形をした流れ空間を形成する支持部材１２同士を間隔を置いて配置している。支持部材１２上にメンブレン６が取り付けられている。
【００３１】
以下では、本発明の透過液スペーサを従来の螺旋状に巻かれたスペーサと比較する実験が行われる。実施例の目的は、透過液スペーサの性能を示すことであり、本発明の範囲を限定するものではない。
【００３２】
実施例１（比較）
この例では、透過液収集装置に取り付けられた従来の螺旋状に巻かれたスペーサ部材が、透過液収集装置に取り付けられた図１の透過液スペーサと比較された。螺旋状に巻かれたスペーサ部材とスペーサはどちらも、両側にメンブレンを備えていた。静水圧は１．２ｍであり、従来の螺旋状に巻かれたスペーサの測定流束は１６ｄｍ3／ｍ2×ｈであり、本発明の一実施形態によるスペーサの測定流束は１００ｄｍ3／ｍ2×ｈであり、本発明のスペーサと従来のスペーサとの比が６．２５であることが分かった。この結果、流量が少なくても、透過液側では自由な流れが重要であり、より流量レベルが高いと、上記の比が高くなることが分かった。
【図面の簡単な説明】
【００３３】
【図１】スペーサの一実施形態の概略部分図である。
【図２】本発明の一実施形態による流路及び支持ユニットを有する作製された押し出しシートの部分概略図である。
【図３】スペーサの一実施形態による押し出しシートの一部の断面図である。
【図４】スペーサの他の実施形態による押し出しシートの一部の断面図である。
【図５】スペーサの他の実施形態による押し出しシートの一部の断面図である。
【図６】スペーサの一実施形態によるひだ付きシートスペーサの一部の断面図である。
【図１】
2008531270.tif 000003
【図２】
2008531270.tif 000004
【図３】
2008531270.tif 000005
【図４】
2008531270.tif 000006
【図５】
2008531270.tif 000007
【図６】
2008531270.tif 000008
【手続補正書】
【提出日】平成19年5月3日(2007.5.3)
【手続補正１】
【補正対象書類名】特許請求の範囲
【補正対象項目名】全文
【補正方法】変更
【補正の内容】
【特許請求の範囲】
【請求項１】
少なくとも１つの挿入部材と、支持面ユニット（８）、穿孔を有する密な面材料、多孔性面材料、穿孔又は細孔又はそれらの組み合わせを有する複合面材料、穿孔又は細孔又はそれらの組み合わせを有するサンドイッチ面材料から成る群の少なくとも１つの部材から選択される支持部材とを有するメンブレンモジュール用のスペーサであって、前記支持部材は、透過液を少なくとも１つの透過液収集装置まで案内する流路を前記支持部材と前記挿入部材との間に形成する前記少なくとも１つの挿入部材によって互いに間隔を置いて配置され、前記少なくとも１つの透過液収集装置は、前記流路に垂直に接触するか、又は濃縮液を前記メンブレンモジュールの外に前記流路を通して案内するスペーサ。
【請求項２】
前記挿入部材は、縦長の壁、波形シート、ひだ付きシート、鋳造シート、成形シート、押し出しシート、ダクト又は谷を有するシート、切り込み又は平坦な山を有するシート、シングルディスタンスエード又はそれらの組み合わせである、請求項１記載のスペーサ。
【請求項３】
前記支持部材は、挿入部材の支持ユニット（８）であり、前記挿入部材は、メンブレンを混合なしで特定領域から所定の流れ方向に排水させる流路を形成する縦長の溝を有する押し出しシートである、請求項２記載のスペーサ。
【請求項４】
前記支持部材と前記挿入部材との間の前記流路は互いに平行である、請求項１乃至請求項３のいずれかに記載のスペーサ。
【請求項５】
透過液に使用される前記スペーサの互いに平行な前記流路は、１本の透過液収集チューブと垂直に接続する、請求項１乃至請求項４のいずれかに記載のスペーサ。
【請求項６】
前記支持部材は、穿孔を有する密な材料又は多孔性材料である、請求項１乃至請求項５のいずれかに記載のスペーサ。
【請求項７】
前記穿孔は、穴、長穴、スリット又はそれらの組み合わせである、請求項１乃至請求項６のいずれかに記載のスペーサ。
【請求項８】
前記透過液スペーサは、金属、プラスチック、複合材料、紙、セルロース、多孔性材料、高分子材料又はそれらの組み合わせから成る群の材料の少なくとも１つから選択される材料で作られる、請求項１乃至請求項７のいずれかに記載のスペーサ。
【請求項９】
前記材料は、ポリオレフィンエラストマ、エチレン酢酸ビニル共重合体、エチレン酢酸ビニル三元共重合体、スチレン−エチレン／ブチレン−スチレンブロック共重合体、ポリウレタン、ポリブチレン、ポリブチレン共重合体、ポリイソプレン、ポリイソプレン共重合体、アクリレート、シリコーン、天然ゴム、ポリイソブチレン、ブチルゴム、ポリプロピレン、ポリプロピレン共重合体、ポリエチレン、ポリエチレン共重合体、ポリカーボネート、フルオロポリマー、ポリスチレン、アクリロニトリル−ブタジエン−スチレン共重合体、ナイロン、ポリ塩化ビニル、並びにそれらの共重合体及び混合物から成る群の材料の少なくとも１つから選択される、請求項８記載のスペーサ。
【請求項１０】
前記支持部材は、互いに少なくとも０．１ｍｍの間隔を置いて配置される、請求項１乃至請求項９のいずれかに記載のスペーサ。
【請求項１１】
前記支持部材は、互いに約０．１ｍｍから約２．０ｍｍの範囲内の間隔を置いて配置される、請求項１乃至請求項１０のいずれかに記載のスペーサ。
【請求項１２】
透過液収集装置と、メンブレンフィルムと、請求項１乃至請求項１１のいずれかに記載の少なくとも１つのスペーサとを有するメンブレンモジュールであって、前記メンブレンフィルムは、前記少なくとも１つのスペーサの両側に取り付けられている、メンブレンモジュール。
【請求項１３】
前記少なくとも１つのスペーサは、少なくとも１つの透過液スペーサ及び少なくとも１つの濃縮液スペーサであり、前記メンブレンフィルムは前記少なくとも１つの透過液スペーサの両側に取り付けられている、請求項１２記載のメンブレンモジュール。
【請求項１４】
前記モジュールは、１つ又は２つ以上の透過液搬送リーフ及び１つ又は２つ以上のメンブレンリーフであって、前記少なくとも１つの透過液スペーサ、前記少なくとも１つの濃縮液スペーサと一緒に、ほぼユニットの長さに沿って複数の透過液搬送手段を間隔を置いて配置する少なくとも１つの管状ユニットを有する透過液収集チューブである透過液収集装置の周りに巻かれる、１つ又は２つ以上の透過液搬送リーフ及び１つ又は２つ以上のメンブレンリーフと、前記透過液搬送手段を連結する流路を形成する１つ又は２つ以上の外部溝とをさらに有し、各管状ユニットの内側の少なくとも一部は多角形断面を有する、請求項１２又は請求項１３記載のメンブレンモジュール。
【請求項１５】
前記透過液収集チューブは、前記チューブの長さに沿ってかつ前記チューブの斜めに向かい合う側面上に２列に間隔を置いて配置された穴である複数の前記透過液搬送手段を螺旋状に連結する２つの溝を有する、請求項１４記載のメンブレンモジュール。
【請求項１６】
前記透過液収集チューブは、型成形又は射出成形される、請求項１５記載のメンブレンモジュール。
【請求項１７】
メンブレンモジュールは、精密濾過、限外濾過、ナノ濾過又は逆浸透に利用される、請求項１２乃至請求項１６のいずれかに記載のメンブレンモジュール。
【請求項１８】
前記スペーサ、前記透過液スペーサ及び前記濃縮液スペーサの前記流路は、前記メンブレンモジュール内で互いに平行であるか又は前記メンブレンモジュール内で互いに垂直である、請求項１２乃至請求項１７のいずれかに記載のメンブレンモジュール。
【請求項１９】
前記スペーサ、前記透過液スペーサ及び前記濃縮液スペーサの前記流路は、前記メンブレンモジュール内で互いに垂直である、請求項１８記載のメンブレンモジュール。
【請求項２０】
前記メンブレンモジュールは、螺旋状に巻かれたメンブレンである、請求項１２乃至請求項１９のいずれかに記載のメンブレンモジュール。
【請求項２１】
排水、海水、地表水又は井戸水の処理における請求項１２乃至請求項２０のいずれかに記載のメンブレンモジュールの使用方法。
【請求項２２】
滅菌濾過、浄化又は高分子量の濃縮における請求項１２乃至請求項２０のいずれかに記載のメンブレンモジュールの使用方法。
【請求項２３】
ワイン、ビールの処理、フルーツジュースの濃縮、牛乳の滅菌濾過における請求項１２乃至請求項２０のいずれかに記載のメンブレンモジュールの使用方法。
【国際調査報告】
2008531270.tif 000009
2008531270.tif 000010
2008531270.tif 000011
2008531270.tif 000012